(57)【特許請求の範囲】
【請求項１】
打球発射装置から発射された打球を上方の遊技領域に案内する打球案内部材を、遊技盤表面の下端から上部に向けて円弧状に配置するとともに、該打球案内部材の内側に円弧状の遊技領域区画部材を配置し、
前記打球案内部材と該遊技領域区画部材との間の円弧状部分を、打球発射装置から発射された打球が上昇する打球上昇流路とし、
前記遊技領域区画部材で囲まれた領域により遊技を行う遊技機の遊技盤において、
当該遊技盤は、
樹脂製の矩形状に形成し、
役物装置を臨ませる開口部及び障害釘を備え、
更に、
前記打球案内部材と前記遊技領域区画部材とを臨ませるための開口溝を形成し、
前記打球案内部材及び前記遊技領域区画部材は、
バンド壁と該バンド壁の底部に位置するバンド固定部とからなる断面Ｔ字状に樹脂により成形され、
当該遊技盤の裏面側から前記開口溝に前記バンド壁を挿入して当該遊技盤の表側に一定長だけ前記バンド壁を突出させた状態で前記バンド固定部により当該遊技盤裏面に固定されることを特徴とする遊技機の遊技盤。
【発明の詳細な説明】
【０００１】
【産業上の利用分野】
本発明は、打球発射装置から発射された打球を上方の遊技領域に案内する打球案内部材を、遊技盤表面の下端から上部に向けて円弧状に配置するとともに、該打球案内部材の内側に円弧状の遊技領域区画部材を配置し、前記打球案内部材と該遊技領域区画部材との間の円弧状部分を、打球発射装置から発射された打球が上昇する打球上昇流路とし、前記遊技領域区画部材で囲まれた領域により遊技を行う遊技機の遊技盤に関する。
【０００２】
【従来の技術】
従来のパチンコ機の遊技盤では、打球を上方の遊技領域に案内するために金属製の帯状の板部材（以下、外バンドという）を割ピン状の釘によって遊技盤の下端から上部にかけて円弧状（Ｒ状）に固定するとともに、この外バンドの内側に金属製の帯状の板部材（以下、内バンドという）を同様の釘によって横Ｃ字状に固定し、これらの外バンドと内バンドの間の円弧状部分を打球上昇流路としている。
【０００３】
また、内バンドと外バンドの上部に囲まれた円形部分を遊技領域とし、この遊技領域に障害釘を植設するとともに、入賞具を配設している。
一方、内バンドのみを樹脂製にしたものは従来より考えられていた。
さらに、従来の遊技機においては、金属製の内バンドとその他の部品（例えば、サイドランプ、戻り球防止部材、変動入賞装置等）は個別に配置され、また、その取付方法も部品により区々であった。
【０００４】
【発明が解決しようとする課題】
ところで、従来の遊技機にあっては、金属製の帯状の外バンドおよび内バンドを遊技盤の表面に対して直交する状態で取付け、固定していたため、次のような問題点があった。
（イ）金属製の帯状の外バンドおよび内バンドを遊技盤の表面に固定するに際して特殊な釘を用いる必要があり、内バンドの取り付け強度が低下するとともに、作業性が悪いという問題点があった。
【０００５】
（ロ）金属製の帯状の各バンドを特殊な釘で固定し、これによって装飾レンズなど他の部材とは全く別個に固定するので、遊技盤の組み立て作業の工数の減少を図るのが困難であった。
（ハ）遊技者が注視する遊技領域を金属製の帯状の各バンドによって取り囲んでいるため、装飾性に劣り、冷たい感じを与えてしまうという欠点があった。
【０００６】
そこで本発明は、外バンドと内バンドの取り付け作業性がよく、組み立て作業工数の減少を図れ、装飾性を高めた遊技機の遊技盤を提供することを目的としている。
【０００７】
【課題を解決するための手段】
上記目的達成のため、請求項１記載の発明による遊技機の遊技盤は、打球発射装置から発射された打球を上方の遊技領域に案内する打球案内部材を、遊技盤表面の下端から上部に向けて円弧状に配置するとともに、該打球案内部材の内側に円弧状の遊技領域区画部材を配置し、
前記打球案内部材と該遊技領域区画部材との間の円弧状部分を、打球発射装置から発射された打球が上昇する打球上昇流路とし、
前記遊技領域区画部材で囲まれた領域により遊技を行う遊技機の遊技盤において、
当該遊技盤は、
樹脂製の矩形状に形成し、
役物装置を臨ませる開口部及び障害釘を備え、
更に、
前記打球案内部材と前記遊技領域区画部材とを臨ませるための開口溝を形成し、
前記打球案内部材及び前記遊技領域区画部材は、
バンド壁と該バンド壁の底部に位置するバンド固定部とからなる断面Ｔ字状に樹脂により成形され、
当該遊技盤の裏面側から前記開口溝に前記バンド壁を挿入して当該遊技盤の表側に一定長だけ前記バンド壁を突出させた状態で前記バンド固定部により当該遊技盤裏面に固定されることを特徴とする。
【０００８】
【作用】
本発明では、遊技盤は、樹脂製の矩形状に形成され、打球案内部材（外バンド）と遊技領域区画部材（内バンド）とを臨ませるための開口溝が形成される。打球案内部材及び前記遊技領域区画部材は、バンド壁と該バンド壁の底部に位置するバンド固定部とからなる断面Ｔ字状に樹脂により成形される。そして、遊技盤の裏面側から開口溝にバンド壁を挿入して遊技盤の表側に一定長だけバンド壁を突出させた状態でバンド固定部により遊技盤裏面に固定される。
したがって、外バンド及び内バンドの取り付け作業性が向上し、かつこれらの組み立て作業工数が減少する。
【０００９】
また、バンド壁とバンド固定部とを一体的にすることにより、遊技盤との接触面が多くなり、全体的に強度が向上し、遊技球が強く衝突した場合でも破損することがない。
【００１０】
【実施例】
以下、図面を参照して本発明の実施例について説明する。
図１〜図１１は本発明をプリペイドカード方式のパチンコ機に適用した場合の第１実施例を示している。
パチンコ装置の正面構成
図１はパチンコ装置の全体を示す正面斜視図である。図１において、１はパチンコ装置であり、大きく分けてパチンコ機２（遊技機）と、遊技媒体貸出装置としてのカード式玉貸機（以下、単に玉貸機という）３によって構成され、これらが対をなして設置される。パチンコ機２とカード式玉貸機３とが対をなして設置されたパチンコ装置１は、いわゆるＣＲ機（カードリーディング機）と称されている。玉貸機３にはカードリーダーが内蔵され、玉貸機３の前面パネル４にはプリペイドカードが挿入されるカード挿入口５と、７セグメントの発光ダイオードを用いて３列で構成され、カードの残り度数を表示するカード残度数表示器６と、発光ダイオード等からなりカードの受け付けが有効であることを表示するカード受付け表示器７とが設けられている。
【００１１】
パチンコ機１は、額縁状前面枠１１と、ガラス１２ａを支持する金枠（ガラス枠）１２と、遊技盤１３（図２参照）と、前面表示パネル１４と、前面操作パネル１５とを有している。額縁状前面枠１１は木製の機枠１６に対して上部蝶番１７および下部蝶番（図示略）によって開閉可能に支持され、金枠１２は額縁状前面枠１１に開閉可能に支持されている。
前面表示パネル１４には上皿２１と、プリペイドカードの残高を表示するカード度数表示器（カード残高表示器）２２と、玉を購入するときに操作される玉貸釦（変換釦）２３と、プリペイドカードを排出するときに操作されるカード排出釦（返却釦）２４と、玉貸し可能表示器２５と、上皿２１の玉を後述の玉貯留皿３２に移す玉通路開閉用の押し釦２６とが設けられている。
【００１２】
なお、玉貸機３にカードリーダでなく、例えばカードリーダ・ライタを配置し、玉数等の価値情報や遊技客の識別情報が記憶されている遊技用カードを用い、遊技結果をカードに書き込む等のデータ処理が可能なものであってもよい。さらに、遊技用カードはプリペイドカードに限らず、例えば玉数等の価値情報が記憶されている玉数カード、あるいは遊技客の識別情報が記憶されている識別カード等を単独で使用する遊技機でもよい。
要は、遊技用カードを使用するために、このカード情報を読み込み可能なカードリーダ、若しくは読み込み／書き込み可能なカードリーダ・ライタであればよい。例えば、完全なカード式のパチンコ遊技システムで封入球式の遊技機（例えば、クレジット方式の遊技機）にも本発明を適用することができる。
また、遊技用カードとして磁気カードを用いている例に限らず、例えばＩＣカードを用いる遊技機でもよい。ＩＣカードを用いた場合、当然のことながらカードリーダ若しくはカードリーダ・ライタはＩＣカードに対応するものを使用することになる。
なお、カードリーダとカード制御装置とは別体として分離して配置してもよいし、あるいは両者を一体化してもよく、例えばカードリーダの内部にカード制御装置を組み込むようにしてもよい。
【００１３】
前面操作パネル１５には、灰皿３１と、玉を貯留する玉貯留皿（受皿）３２と、玉貯留皿３２に貯留された玉を外部下方に抜くための玉抜きレバー３３と、発射装置の操作を行う発射操作ノブ３４とが設けられている。
パチンコ機２の額縁状前面枠１１の上部には左側から順次、賞球排出時に点灯する賞球玉排出表示器４１と、貸玉排出時に点灯する貸玉排出表示器４２と、パチンコ機２において打止状態が発生したときに点灯する完了表示器４３とが設けられている。これらの賞球玉排出表示器４１、貸玉排出表示器４２および完了表示器４３によりその他の遊技状態（例えば、大当り状態：点滅する制御）も表示可能である。
【００１４】
遊技盤の構成
図２は遊技盤１３を示す正面図である。遊技盤１３は、後述の図３に示すように、樹脂製（プラスチック製）の矩形板１０１を有しており、その前面側が遊技領域１０２になっている。なお、矩形板１０１は樹脂製でなく、例えば木製の合板（ベニア）を素材としてもよい。
矩形板１０１はプラスチックを素材とした場合、後述の取り付け溝２００の成形が容易であるという利点がある。しかも、成形した取り付け溝２００に対して後述のバンド構造体２２１〜２２３をワンタッチで嵌め込むようにして取り付けできるという利点もある。
【００１５】
遊技盤１３における遊技領域１０２は本発明の適用対象である遊技媒体として遊技球を使用するパチンコ遊技機であれば、任意の構成を取り得る。例えば、複数の図柄を可変表示可能な図柄表示装置を備え、この図柄表示装置における可変表示結果が予め定められた特別図柄で表示されたことを条件に遊技者に有利な特別遊技状態（大当り状態）を発生可能な遊技機（いわゆる「第１種」に属するもの）、図柄表示装置を備えた「第３種」に属する遊技機、あるいはいわゆる「第２種」に属する遊技機、さらにはその他の種類の遊技機（例えば、電動役物装置を備えた遊技機）等に幅広く適用が可能である。本実施例では「第３種」に属する遊技盤１３を使用している。
【００１６】
矩形板１０１の表面には樹脂製の外バンド（打球案内部材）１１１が下端の左寄りから上部にかけて円弧状に固定されているとともに、外バンド１１１の内側（図中右側）には同じく樹脂製で円弧状の内バンド（遊技領域区画部材）１１２がその上端を開いた状態で横Ｃ字状に固定されている。なお、詳細を後述するように、内バンド１１２は取付基盤２３１とともに樹脂により一体的に成形され、３分割可能な構造になっている。内バンド１１２と外バンド１１１の上部とによって囲まれたほぼ円形部分は遊技領域１０２になっており、遊技領域１０２には多数の障害釘（図示略）が植設されるとともに、後述のように、役物装置等が配置されている。
外バンド１１１と内バンド１１２の一部分（図中左側部分）の間の円弧状部分は、打球発射装置から発射された打球が上昇する打球上昇流路１１３になっており、打球上昇流路１１３の下端入口部分は遊技盤１３をパチンコ機２に装着した状態で発射レール（図示略）の延長線上に位置している。
また、内バンド１１２にはファール球案内部材１１４が一体成形されている。
【００１７】
ここで、遊技領域１０２について説明する。
遊技領域１０２のほぼ中央部には回転振分け装置１２１が、回転振分け装置１２１の図中左側には一般入賞口１２２が、回転振分け装置１２１の図中右側には特定入賞装置１２３が、回転振分け装置１２１の直下には変動入賞装置１２４がそれぞれ配置されている。また、変動入賞装置１２４の左右両側には一般入賞口１２５、１２６、１２７、１２８が配置されている。
回転振分け装置１２１は常時回転している回転体１３１を有しており、回転体１３１には玉を嵌入可能な８個のスプロケット（そのうち１個がＶスプロケット）が形成されている。回転振分け装置１２１は、その上部に形成された役物入賞口１３２に入賞した玉を常時回転している回転体１３１の何れかのスプロケットに嵌入させる。このとき、外れのスプロケットに嵌入すると、一定数の賞球排出を伴う単なる入賞に終わるように振分けられ、一方、Ｖスプロケットに嵌入すると、第３種権利発生口に入賞するように振分けられて、いわゆる第３種の権利が発生する。
【００１８】
ここでいう第３種の権利とは、第３種の特別遊技を発生させる権利であり、特定入賞装置１２３における第３種始動口への玉の入賞を条件とし、１０秒あるいは玉が１０個入賞するまでを１サイクルとして変動入賞装置１２４を所定回数（例えば、１６サイクル）開放する権利である。
変動入賞装置１２４は、特別遊技状態が発生した場合に予め定められた所定回数だけ遊技玉を受け入れない第１の状態（遊技者にとって不利な状態）から受け入れ易い第２の状態（遊技者にとって有利な状態）に変動可能な大入賞口（いわゆるアタッカー）として作動する。
【００１９】
特定入賞装置１２３は円板状の回転体を有しており、回転体は一定時間間隔で常時回転しているとともに、玉を１個当て嵌入可能なスプロケットが形成されている。また、特定入賞装置１２３には第３種始動口（図示略）が形成され、回転体のスプロケットに嵌入した玉が第３種始動口に入賞すると、変動入賞装置１２４が所定期間遊技者にとって有利な第２状態へと変動するようになっている。
遊技領域１０２内の適宜位置には風車（打球方向変換部材）１４１〜１４６が回転自在に複数設置されるとともに、障害釘（図示略）が多数植設され、さらに遊技領域１０２の下方にはアウト玉回収口１４７が形成されている。
【００２０】
また、遊技領域１０２の左右両側にはラッキーナンバー表示器１５１、１５２が配置され、これらはラッキーナンバーの表示を行う。遊技領域１０２の周囲には第３種の権利（いわゆる大当り）が発生したときに点灯する大当り表示器１５３および遊技状態表示器１５４（例えば、変動入賞装置１２４のオープン時に点灯して臨場感を盛り上げる）が配置されている。
なお、ラッキーナンバー表示器１５１、１５２は、詳細を後述するように内バンド１１２の遊技盤取付部とともに樹脂製で一体成形されており、さらにこの遊技盤取付部に戻り球防止部材１６１、風車１６２が取り付け可能になっている。
【００２１】
内バンドの取付構造
次に、内バンド１１２の取り付け構造について説明する。
図３は遊技盤１３を構成する矩形板１０１の正面側の斜視図である。図３において、矩形板１０１には内バンド１１２を取り付けるための円弧状の取り付け溝２００、回転振分け装置１２１のための開口部（以下、役物開口部という）２０１、変動入賞装置１２４のための開口部（以下、大入賞口開口部という）２０２、一般入賞口のための開口部（以下、入賞開口部という）２０３、２０４、アウト球を回収するアウト玉回収口１４７、ラッキーナンバー表示器１５１、１５２の後部を収納するための後部開口部（いわゆる逃げ穴）２０５、２０６、後述のバンド構造体２２１、２２３を取り付けるための取り付け穴２０７ａ〜２０７ｃ、２０８ａ〜２０８ｃ、補給ランプのためのランプ開口部２０９、賞球ランプのためのランプ開口部２１０、リード線を通すためのリード線開口部２１１、２１２、矩形板１０１をパチンコ機２の枠体に固定するための固定穴２１３〜２１６、および上皿２１（図１参照）に賞品球（あるいは貸球）を排出するための賞球排出口２１７がそれぞれ形成されている。
なお、一般入賞口のための開口部はその他にもあるが、全てを図示すると、繁雑になって見づらくなるので、一部を図示している。これらの開口部および穴は、何れも矩形板１０１の加工処理で予め形成される。
【００２２】
ここで、内バンド１１２は図２に示すように、ラッキーナンバー表示器１５１、１５２（電気的装飾部材）、戻り球防止部材１６１、風車１６２、特定入賞装置１２３、一般入賞口１２５、１２８を含むバンド構造体２２１〜２２３の３つに分割可能な構造になっている。以下、これらのバンド構造体２２１〜２２３について、取り付け方法を含めて説明する。バンド構造体２２１、２２３は左右区画部に相当し、バンド構造体２２２は下部区画部に相当する。
【００２３】
Ａ．バンド構造体２２１
図３はバンド構造体２２１の裏面側を示しており、バンド構造体２２１はラッキーナンバー表示器１５１、戻り球防止部材１６１、風車１６２、一般入賞口１２５を含んで構成される（図２参照）。バンド構造体２２１は内バンド１１２、遊技盤取付部２３１とともに樹脂製で一体成形されている。使用する樹脂の種類としては、例えばポリアセタール、ナイロン等の非常に硬い樹脂を用い、これらを素材として成形する。遊技盤取付部２３１は内バンド１１２を遊技盤１３に頑丈に取り付けるために、遊技盤１３との設置面を有して断面Ｌ字状になるように形成され、一定の大きさを有している。また、本実施例では遊技盤取付部２３１に各種機構体（例えば、ラッキーナンバー表示器１５１、戻り球防止部材１６１、風車１６２、一般入賞口１２５）を配置可能である。したがって、遊技盤取付部２３１は各種機構体を配置する取付基盤部としての機能を兼ねている。すなわち、遊技盤取付部と取付基盤部とを別体で構成するのではなく、同一部材として形成している。
【００２４】
バンド構造体２２１の裏面側には取り付けガイド２３２が形成されており、取り付けガイド２３２は一定長さだけ突出し、矩形板１０１に形成された円弧状の取り付け溝２００に嵌入可能である。また、バンド構造体２２１の裏面側には取り付け位置決め用の３つの位置決めガイド２３３ａ〜２３３ｃが設けられており、位置決めガイド２３３ａ〜２３３ｃには取り付け用のビスを挿入可能である。さらに、バンド構造体２２１の裏面側には取り付けガイド２３２に沿って金属製（例えば、ステンレス製）の補強部材２３４が配置されており、補強部材２３４は一定の厚さを有し、図４に拡大図を示すように、その両端部に形成された支持部２３５（他の支持部は図示略）が位置決めガイド２３３ａ、２３３ｂに係合可能になっている。すなわち、補強部材２３４の支持部２３５に形成された穴２３５ａが位置決めガイド２３３ａを貫通することにより、補強部材２３４が位置決めガイド２３３ａに係合して位置決めがなされる。
また、補強部材２３４はバンド構造体２２１における内バンド１１２を構成する部分の内部に埋め込まれるように挿入され、これにより、内バンド１１２が内側から頑丈に補強される。
【００２５】
（ａ）バンド構造体２２１の取り付け方法
バンド構造体２２１を矩形板１０１に取り付けるには、まずバンド構造体２２１の裏面側に金属製の補強部材２３４を配置し、次いで、取り付けガイド２３２を矩形板１０１に形成された円弧状の取り付け溝２００に嵌入する。これにより、バンド構造体２２１が内バンド１１２の位置に配置される。次いで、バンド構造体２２１の裏面側の３つの位置決めガイド２３３ａ〜２３３ｃに取り付け用のビス２３６（図４参照）を挿入し、矩形板１０１の取り付け穴２０７ａ〜２０７ｃに捩じ込む。これにより、バンド構造体２２１の位置決めが正確に決定されて矩形板１０１に固定される。
このとき、後述のようにバンド構造体２２１の裏側に突出しているラッキーナンバー表示器１５１のランプ基盤２５３が矩形板１０１にぶつからないように、ランプ基盤２５３は後部開口部２０５に収納される。
【００２６】
また、同様にバンド構造体２２１の裏側に突出している一般入賞口１２５が矩形板１０１にぶつからないように、一般入賞口１２５の後部側は入賞開口部２０３に収納される。
バンド構造体２２１を矩形板１０１に固定した状態の断面図は、図６のように示される。図６に示すように、取り付けガイド２３２によりバンド構造体２２１の位置決めがなされ、補強部材２３４によって内バンド１１２が裏側から補強される。そして、バンド構造体２２１を矩形板１０１表面に設置している部分は、遊技盤取付部２３１に相当する。
このような金属製の補強部材２３４を内部に設けることにより、樹脂製の内バンド１２２の表面を上方から落下する球の衝突による破壊から未然に防ぐことができる。特に、内バンド１２２にあっては、上方からの球の落下が多く、その衝突が激しい箇所であるから、金属製の補強部材２３４によって有効に補強することが可能になる。
【００２７】
（ｂ）バンド構造体２２１の取り付けの変形例
図５はバンド構造体２２１の取り付けの変形例を示す図であり、これは取り付け用のビスに代えてワンタッチ用の取り付け部材を使用したものである。バンド構造体２２１の裏面側には取り付け位置決め用の位置決めガイドに代えて、ワンタッチ用の取り付け部材２４１（他の２つは図示略）が設けられている。図７にバンド構造体２２１の取り付けの断面図を示すように、ワンタッチ用の取り付け部材２４１は樹脂製で遊技盤取付部２３１と一体成形された円筒状のボス２４１ａと、ボス２４１ａの周囲に被せたロック機能を有する金属製（例えば、ステンレス製）のロック部材２４１ｂとからなる。ロック部材２４１ｂは矩形板１０１の取り付け穴２０７ａに挿入するときは、弾力により萎んでスムーズに挿入されるが、挿入後は広がって抜けにくくなる。
【００２８】
一方、バンド構造体２２１の取り付けガイド２３２の先端部は、抜けにくい形状に加工されてロック部２３２ａ（樹脂製）になっている。ロック部２３２ａも同様に矩形板１０１の取り付け溝２００に嵌入されるときは弾力により萎んでスムーズに嵌入されるが、嵌入後は広がって抜けにくくなる。
したがって、図５および図７に示すような変形例の場合には、ワンタッチ用の取り付け部材２４１を取り付け穴２０７ａにワンタッチで挿入するとともに、取り付けガイド２３２を取り付け溝２００にワンタッチで嵌入することにより、極めて簡単に、ワンタッチでバンド構造体２２１を矩形板１０１に固定できるという利点がある。また、より頑丈にバンド構造体２２１を矩形板１０１に固定できる。
【００２９】
なお、ワンタッチ用の取り付け部材２４１におけるロック部材２４１ｂは金属製で補強部材２３４と別体にしているが、別体にするのではなく、補強部材２３４と同じ金属で一体に形成してもよい。また、ワンタッチ用の取り付け部材２４１におけるロック部材２４１ｂを金属製にするのではなく、例えば樹脂製にしてボス２４１ａと一体成形してもよい。
一方、取り付けガイド２３２の先端部のロック部２３２ａは同じ樹脂製で形状を加工したものであるが、これに限らず、例えば金属製のロック部（別体）あるいは樹脂製のロック部（別体）を形成し、これを取り付けガイド２３２の先端部に被せるようにしてもよい。
【００３０】
（ｃ）バンド構造体２２１の表側構成
図８はバンド構造体２２１の表側の構成を示す分解斜視図である。図８において、ラッキーナンバー表示器１５１は飾り部材２５１、レンズ２５２およびランプ基盤２５３により構成される。飾り部材２５１はラッキーナンバーを表示するもので、表面に「１」、「３」、「５」、「７」の４つの数字が表示されている。なお、ラッキーナンバーの数字は樹脂にカラーで表示してもいし、あるいはラッキーナンバーの数字を印刷した印刷シールを飾り部材２５１に貼るようにしてもよい。
飾り部材２５１の下方部は一般入賞口１２５の前側を飾るようになっている。飾り部材２５１はビス穴に２５１ａ、２５１ｂにビスを通すことにより、レンズ２５２および一般入賞口１２５の前側に固定される。レンズ２５２は半透明の素材からなり、その下部に形成されたワンタッチ部材２６１（他は図示略）を遊技盤取付部２３１の取付穴２６２ａ、２６２ｂに対してそれぞれ挿入することにより、遊技盤取付部２３１に対してワンタッチで取り付けられる。
【００３１】
遊技盤取付部２３１にはランプ基盤開口部２６３が形成されており、ランプ基盤２５３はランプ基盤開口部２６３を通してレンズ２５２の後部側に配置される。ランプ基盤２５３は複数（ここでは４個）のランプ２６４を有しており、複数のランプ２６４はリード線２６５に接続され、所定の電源が供給されるようになっている。また、一般入賞口１２５は、例えばビス等の固定手段により遊技盤取付部２３１に取り付けられる。
ラッキーナンバー表示器１５１におけるランプ基盤２５３のランプ２６４は、例えば大当り（第３種の権利）が発生すると、移動点滅を開始し、所定時間経過後（例えば５秒後）に移動点滅を終了して、右側に配置されている他のラッキーナンバー表示器１５２を含めた８つのうちの何れか１つのランプが点灯する。これにより、飾り部材２５１は配置された「１」、「３」、「５」、「７」の４つの数字のうちの何れか１つに対してランプ２６４の光が放射され、あたかも点灯した状態になる。そして、点灯した数字が、いわゆるホールラッキーナンバーに相当する場合には、持ち玉による遊技の続行が許可される。
【００３２】
例えば、ホールラッキーナンバー＝「３」、「７」である場合、ラッキーナンバー表示器１５１、１５２の８つのランプのうちの何れか１つのランプが「３」あるいは「７」の数字を点灯させると、ホールラッキーナンバーに相当し、持ち玉遊技ができる。その他の数字でランプが点灯すると、持ち玉の交換が強制される。
なお、ラッキーナンバー表示器１５１のランプの点灯制御は上記例に限るものではなく、例えば通常遊技中に移動点滅を繰り返し、大当り発生と同時に移動点滅を停止して１つのランプを点灯するようにしてもよいし、あるいは通常遊技中および大当り発生中に移動点滅を繰り返し、大当りが終了すると移動点滅を停止して１つのランプを点灯するようにしてもよいし、その他の制御形態にしてもよい。
ランプ基盤２５３をレンズ２５２の裏面側に別体で配置するのではなく、例えばランプ基盤とレンズとを一体的にユニット化する構成にしてもよい。ユニット化した場合、レンズの中にランプ基盤を内蔵し、接続に際してコネクタを設けるようにするとよい。そのようにすると、レンズの取り付け、交換あるいは点検が容易であるという利点がある。
【００３３】
次に、風車１６２の取り付けについて説明する。
風車１６２は遊技盤取付部２３１に形成された取り付け穴２７１に風車１６２のシャフト部分を差し込むことにより、遊技盤取付部２３１に対して回転自在に取り付けられる。風車１６２は機構体に相当する。
次に、戻り球防止部材１６１の取り付けについて説明する。
戻り球防止部材１６１は、遊技盤取付部２３１とともに樹脂により一体的に成形された戻り球防止部材取り付け部２７２に取り付けが可能になっている。そして、戻り球防止部材１６１は常時は内蔵のスプリング２７３によって外バンド１１１の方（つまり外側）へ付勢され、戻り球防止部材取り付け部２７２の抑え部に当接しているが、球が発射されると、スプリング２７３の付勢力に抗して発射された球が戻り防止部材１６１を押し戻して遊技領域１０２に進入する。進入後は、再び戻り防止部材１６１がスプリング２７３によって外バンド１１１の方へ付勢されるため、球の戻りが防止される。なお、２７４は戻り球防止部材１６１の表側を覆う化粧部材である。戻り球防止部材１６１は機構体に相当する。
【００３４】
Ｂ．バンド構造体２２２
図９はバンド構造体２２２の斜視図、図１０はバンド構造体２２１の分解斜視図である。これらの図において、バンド構造体２２２は内バンド１１２の一部を構成するバンド壁２８１、遊技盤取付部２８２、一般入賞口２８３、２８４、変動入賞装置（アタッカー）１２４、レンズ２８５、一般入賞口２８３、２８４のそれぞれの裏面側に配置された装飾ランプ基盤２８６、２８７、遊技盤取付部２８２の裏面側に配置されたベース盤２８９、変動入賞装置（アタッカー）１２４に入賞した玉をカウントするカウントスイッチ２９０、ベース盤２８９の裏面側に配置された配線基盤（配線処理手段）２９１、変動入賞装置１２４を駆動するソレノイド２９２、および一般入賞口２８３、２８４への入賞を検出する入賞球検出センサ２９３を含んで構成される。
【００３５】
内バンド１１２の一部を構成するバンド壁２８１は遊技盤取付部２８２と樹脂によって一体成形されており、遊技盤取付部２８２によってバンド構造体２２２が矩形板１０１に取り付けられる。使用する樹脂の種類としては、例えばポリアセタール、ナイロン等の非常に硬い樹脂を用い、これらを素材として成形する。遊技盤取付部２８２は内バンド１１２を構成するバンド壁２８１を矩形板１０１に頑丈に取り付けるために、矩形板１０１との設置面を有して断面Ｌ字状になるように形成され、一定の大きさを有している。また、本実施例では遊技盤取付部２８２に各種機構体（例えば、一般入賞口２８３、２８４、変動入賞装置（アタッカー）１２４、レンズ２８５、装飾ランプ基盤２８６、２８７、カウントスイッチ２９０、ソレノイド２９２、入賞球検出センサ２９３）を配置可能である。したがって、遊技盤取付部２８２は各種機構体を配置する取付基盤部としての機能を兼ねている。すなわち、遊技盤取付部と取付基盤部とを別体で構成するのではなく、同一部材として形成している。
【００３６】
バンド構造体２２２の裏面側には取り付けガイド２９４が形成されており、取り付けガイド２９４は一定長さだけ突出し、矩形板１０１に形成された円弧状の取り付け溝２００に嵌入可能である。また、バンド構造体２２２の裏面側には取り付け位置決め用の３つの位置決めガイド２９５（他は図示略）が設けられており、位置決めガイド２９５には取り付け用のビスを挿入可能である。さらに、バンド構造体２２２の裏面側には取り付けガイド２９４に沿って金属製（例えば、ステンレス製）の補強部材２９６が配置されており、補強部材２９６は一定の厚さを有し、その両端部が位置決めガイド２９５を貫通することにより、補強部材２９６の位置決めがなされる。また、補強部材２９６はバンド構造体２２２における内バンド１１２を構成する部分の内部に埋め込まれるように挿入され、これにより、内バンド１１２が内側から頑丈に補強される。
【００３７】
この場合、バンド構造体２２２を矩形板１０１に取り付けるには、まずバンド構造体２２２に上記各種の機構体を組み込み、次いで、バンド構造体２２２の裏面側に金属製の補強部材２９６（図９参照）を配置し、取り付けガイド２９４（図９参照）を矩形板１０１に形成された円弧状の取り付け溝２００に嵌入する。これにより、バンド構造体２２２が内バンド１１２の位置に配置される。次いで、バンド構造体２２２の裏面側の複数の位置決めガイド２９５に取り付け用のビスを挿入し、矩形板１０１の取り付け穴に捩じ込む。これにより、バンド構造体２２２の位置決めが正確に決定されて矩形板１０１に固定される。このとき、バンド構造体２２２の裏側に突出している変動入賞装置（アタッカー）１２４や配線基盤（配線処理手段）２９１が矩形板１０１にぶつからないように、これらは大入賞口開口部２０２に収納される。
【００３８】
また、同様にバンド構造体２２２の裏側に突出している一般入賞口２８３、２８４が矩形板１０１にぶつからないように、一般入賞口１２５の後部側は入賞開口部２０４（他方は繁雑になるので、図示略）に収納される。このように、樹脂製の内バンド１１２とその他の各種機構体（例えば、変動入賞装置（アタッカー）１２４や一般入賞口２８３、２８４、装飾ランプ基盤２８６、２８７等）を一体的に配置でき、バンド構造体２２２を矩形板１０１に取り付けることにより、一括して各種機構体も矩形板１０１に取り付けられるので、取り付けの作業性が向上する。
【００３９】
一般入賞口２８３、２８４に入賞した玉は入賞球検出センサ２９３によって検出される。なお、入賞球検出センサ２９３は一般入賞口２８３、２８４に入賞した玉を検出するのではなく、例えば遊技領域１０２が第１種に属するタイプのものに形成されている場合には、入賞球検出センサ２９３に始動センサ（特図の変動を開始可能な入賞を検出するセンサ）の機能を持たせるようにしてもよい。装飾ランプ基盤２８６、２８７はそれぞれ一般入賞口２８３、２８４の裏面側に配置され、点滅可能な複数のランプを有して一般入賞口２８３、２８４の周囲をそれぞれ装飾するものである。
ベース盤２８９は遊技盤取付部２８２の裏面側に位置してソレノイド２９２、入賞球検出センサ２９３等が固定されるとともに、各種の配線をまとめて整然とした配線を行う配線基盤（配線処理手段）２９１が裏面側に配置されている。なお、図９に示すように配線基盤２９１には複数のコネクタ２９７（他は繁雑になるので、番号付けを省略）が配置されている。これにより、配線処理の作業性が向上し、配線事故の防止が図られる。
【００４０】
Ｃ．バンド構造体２２３
図１１はバンド構造体２２３の前面側斜視図である。図１１において、バンド構造体２２３は内バンド１１２の一部を構成するバンド壁３０１、遊技盤取付部３０２、一般入賞口１２８、第３種始動口の形成された特定入賞装置１２３、特定入賞装置１２３の回転体を駆動するモータ３０３、ラッキーナンバー表示器１５２を含んで構成される。
【００４１】
内バンド１１２の一部を構成するバンド壁３０１は遊技盤取付部３０２と樹脂によって一体成形されており、遊技盤取付部３０２によってバンド構造体２２３が矩形板１０１に取り付けられる。使用する樹脂の種類としては、例えばポリアセタール、ナイロン等の非常に硬い樹脂を用い、これらを素材として成形する。遊技盤取付部３０２は内バンド１１２を構成するバンド壁３０１を矩形板１０１に頑丈に取り付けるために、矩形板１０１との設置面を有して断面Ｌ字状になるように形成され、一定の大きさを有している。また、本実施例では遊技盤取付部３０２に各種機構体（例えば、一般入賞口１２８、特定入賞装置１２３、モータ３０３、ラッキーナンバー表示器１５２）を配置可能である。したがって、遊技盤取付部３０２は各種機構体を配置する取付基盤部としての機能を兼ねている。すなわち、遊技盤取付部と取付基盤部とを別体で構成するのではなく、同一部材として形成している。
【００４２】
バンド構造体２２３の裏面側には図示は略しているが、前述した各バンド構造体２２１、２２２と同様に取り付けガイドが形成され、取り付けガイドは一定長さだけ突出し、矩形板１０１に形成された円弧状の取り付け溝２００に嵌入可能になっている。また、バンド構造体２２３の裏面側には同様に取り付け位置決め用の３つの位置決めガイド（図示略）が設けられるとともに、バンド構造体２２３の裏面側には取り付けガイドに沿って金属製（例えば、ステンレス製）の補強部材が配置され、補強部材は一定の厚さを有し、その両端部が位置決めガイドを貫通することにより、補強部材の位置決めがなされる。また、補強部材はバンド構造体２２３における内バンド１１２を構成する部分の内部に埋め込まれるように挿入され、これにより、内バンド１１２が内側から頑丈に補強される。
【００４３】
この場合、バンド構造体２２３を矩形板１０１に取り付けるには、まずバンド構造体２２３に上記各種の機構体を組み込み、次いで、バンド構造体２２３の裏面側に金属製の補強部材を配置し、取り付けガイドを矩形板１０１に形成された円弧状の取り付け溝２００に嵌入する。これにより、バンド構造体２２３が内バンド１１２の位置に配置される。次いで、バンド構造体２２３の裏面側の複数の位置決めガイドに取り付け用のビスを挿入し、矩形板１０１の取り付け穴に捩じ込む。これにより、バンド構造体２２３の位置決めが正確に決定されて矩形板１０１に固定される。このとき、バンド構造体２２３の裏側に突出している一般入賞口１２８、モータ３０３、ラッキーナンバー表示器１５２等が矩形板１０１にぶつからないようになっており、例えば、ラッキーナンバー表示器１５１のランプ基盤は後部開口部２０６に収納される。
【００４４】
このように、樹脂製の内バンド３０１とその他の各種機構体（例えば、一般入賞口１２８、特定入賞装置１２３、モータ３０３、ラッキーナンバー表示器１５２等）を一体的に配置でき、バンド構造体２２３を矩形板１０１に取り付けることにより、一括して各種機構体も矩形板１０１に取り付けられるので、取り付けの作業性が向上する。
また、バンド構造体２２３の裏面側には各種の配線をまとめて整然とした配線を行う配線基盤（配線処理手段）（ここでは図示略）が配置されており、これにより、配線処理の作業性を高め、配線事故を防止することを可能にしている。
【００４５】
このように、本実施例では打球発射装置から発射された打球は外バンド１１１より案内され、外バンド１１１と内バンド１１２によって区画される打球上昇流路１１３を通して遊技領域１０２に到達する。この場合、内バンド１１２と、その遊技盤取付部２３１、２８２、３０２とは樹脂により一体成形されるとともに、遊技盤取付部２３１、２８２、３０２には断面Ｌ字状になるように樹脂によって成形された取付基盤部（本実施例では遊技盤取付部と同一部材）が設けられ、この取付基盤部に各種機構体（例えば、サイドランプ、風車、戻り球防止部材、変動入賞装置）が配置されて遊技盤１３に取り付けられので、以下のような効果が得られる。
内バンド１１２および遊技盤取付部（取付基盤部）２３１、２８２、３０２を樹脂により一体的に成形することにより、内バンド１１２と取付基盤部（すなわち、遊技盤取付部２３１、２８２、３０２のこと。以下、同様）の取り付け作業性が向上し、かつこれらの組み立て作業工数が減少する。
【００４６】
樹脂製の内バンド１１２を個別に備える場合より、取付基盤部（遊技盤取付部２３１、２８２、３０２）を含めて一体的にすることにより、遊技盤１３との接触面が多くなり、全体的に強度が向上し、遊技球が強く衝突した場合でも破壊することがなくなる。
内バンド１１２を樹脂化することにより装飾性を向上させることができるとともに、取付基盤部（遊技盤取付部２３１、２８２、３０２）も樹脂化することにより、取付基盤部でも装飾効果を出すことが可能になる。特に、従来のように遊技者が注視する遊技領域を金属製の帯状の各バンドによって取り囲んでいた場合と比較して、装飾性が高まる。
【００４７】
内バンド１１２と一体的な取付基盤部（遊技盤取付部２３１、２８２、３０２）に各種部品（例えば、サイドランプ、戻り球防止部材、変動入賞装置等）を取り付けることが可能になり、取り付けの作業性が向上（例えば、ワンタッチ取り付けも可能）する。
内バンド１１２をバンド構造体２２１〜２２３の３つに分割し、各バンド構造体２２１〜２２３（各区画部）に違う種類の部品を配置することにより、各バンド構造体２２１〜２２３で別々の機能を発揮することができる。また、各バンド構造体２２１〜２２３はユニットとして遊技盤１３に取り付け可能な状態になるので、作業性が向上し、部品交換時にも対応する１つのユニットを交換すればよいから、交換作業性、コスト面で有効である。
さらに、遊技盤取付部を共通化することにより、共通化された遊技盤取付部の上の各機構体を変えるだけで、違う機種の遊技機にも対応させることができる。したがって、遊技機のコストダウンを図ることが可能になる。すなわち、遊技機の機種、役物装置等の違いにかかわらず、遊技盤取付部を共通化しておけば、種々の機種に幅広く適用させることが可能になる。
分割可能な内バンド１１２を構成する各バンド構造体２２２においては、取付基盤部に各種機構体を配置し、かつ配線基盤（配線処理手段）２９１を配置することにより、整然とした配線が可能で、配線作業性が向上し、配線事故を防止することができる。
【００４８】
第２実施例
次に、図１２は本発明の第２実施例を示す図であり、本実施例は右側のバンド構造体が他種の役物装置に相当する機構体を有する例である。
図１２において、遊技盤の右側には他種遊技を実行可能なバンド構造体４００が配置されており、バンド構造体４００は内バンドの一部を構成するバンド壁４０１、遊技盤取付部４０２、普通図柄表示器４０３、普通電動始動口（以下、単に普電という）４０４〜４０６、始動記憶表示器４０７、４０８、装飾ＬＥＤ４０９、装飾ランプ４１０、飾り板４１１を含んで構成される。
【００４９】
内バンドの一部を構成するバンド壁４０１は遊技盤取付部４０２と樹脂によって一体成形されており、遊技盤取付部４０２によってバンド構造体４００が遊技盤に取り付けられる。使用する樹脂の種類としては、例えばポリアセタール、ナイロン等の非常に硬い樹脂を用い、これらを素材として成形する。遊技盤取付部４０２は内バンドを構成するバンド壁４０１を遊技盤に頑丈に取り付けるために、遊技盤との設置面を有して断面Ｌ字状になるように形成され、一定の大きさを有している。また、本実施例では遊技盤取付部４０２に各種機構体（例えば、普通図柄表示器４０３、普通電動始動口（以下、単に普電という）４０４〜４０６、始動記憶表示器４０７、４０８、装飾ＬＥＤ４０９、装飾ランプ４１０）を配置可能である。したがって、遊技盤取付部４０２は各種機構体を配置する取付基盤部としての機能を兼ねている。すなわち、遊技盤取付部と取付基盤部とを別体で構成するのではなく、同一部材として形成している。
【００５０】
バンド構造体４００の裏面側には図示は略しているが、前記実施例と同様に取り付けガイドが形成され、取り付けガイドは一定長さだけ突出し、遊技盤に形成された円弧状の取り付け溝に嵌入可能になっている。
この場合、バンド構造体４００を遊技盤に取り付けるには、まずバンド構造体４００に上記各種の機構体を組み込み、取り付けガイドを遊技盤に形成された円弧状の取り付け溝に嵌入する。これにより、バンド構造体４００が内バンドの位置に配置される。次いで、バンド構造体４００の表側に形成されたビス穴４２１、４２２にビス等の固定手段を挿入し、遊技盤に捩じ込む。これにより、バンド構造体４００の位置決めが正確に決定されて遊技盤に固定される。
【００５１】
ここで、他種遊技について説明する。
普電４０４〜４０６は図中右側方向に９０度だけ回動可能な回動部材４０４ａ〜４０６ａをそれぞれ有している。通常は普電４０４〜４０６の回動部材４０４ａ〜４０６ａが図示の位置にあって、玉が入賞しない構成になっているが、回動部材４０４ａ〜４０６ａが図中右側方向に９０度だけ回動すると、流下してきた玉を受け止めるような形になって玉が普電４０４〜４０６に入賞可能な状態になる。
普電４０４に玉が入賞すると、一定数の賞球排出が行われるとともに、普通図柄表示器４０３の図柄変動が開始され、また、既に図柄変動中のときは始動記憶表示器４０７が１個宛て点灯して始動記憶を行い、最大で４個まで始動記憶が行われる。なお、普電４０４がオープン（すなわち、回動部材４０４ａが開放）する条件は、例えば図示していない遊技領域中央の特図等の停止図柄に基づいて行われるようになっているが、条件はいろいろ適当に定めることが可能である。この場合、普電４０４がオープンする状態になると、遊技者はいわゆる「右打ち」をすることになる。
【００５２】
普通図柄表示器４０３の図柄変動が当り図柄（例えば、「７」）で停止すると、普電４０５がオープン（すなわち、回動部材４０５ａが開放）し、このオープン状態が間欠的に３回繰り返される（例えば、５秒間オープンし、１０秒間閉鎖するサイクルを３回繰り返す）。このとき、始動記憶表示器４０８は普電４０５のオープンサイクルを記憶して表示する。普電４０５に入賞すると、普電４０６がオープン（すなわち、回動部材４０６ａが開放）し、このオープン状態は普電４０６に所定数の玉が入賞するまで継続する。このように、普電４０４への入賞によって普通図柄表示器４０３の図柄変動が開始され、当り図柄になると、以後、普電４０５がオープンに従って普電４０６がオープンする遊技を３サイクル繰り返すことにより、多くの出玉を獲得可能な他種の遊技が行われる。
装飾ＬＥＤ４０９は他種の遊技に応じて点滅し、装飾ランプ４１０は、例えば普通図柄表示器４０３の図柄変動が当り図柄（例えば、「７」）で停止したような場合に点灯制御されて遊技の雰囲気を高めるようになっている。
【００５３】
このような第２実施例にあっては、内バンドの一部を構成するバンド壁４０１が遊技盤取付部４０２と樹脂によって一体成形され、遊技盤取付部４０２に各種機構体（例えば、普通図柄表示器４０３、普電４０４〜４０６、始動記憶表示器４０７、４０８、装飾ＬＥＤ４０９、装飾ランプ４１０）が配置されるので、前記実施例と同様に、取り付け作業性の向上、機構体の組み立て作業工数の減少、強度の向上、装飾性の向上等の各種の効果を得ることができる。
【００５４】
第３実施例
次に、図１３は本発明の第３実施例を示す図であり、本実施例は各バンドを遊技盤の裏側から取り付ける例である。
図１３は遊技盤の裏面図である。図１３において、本実施例の遊技盤５０１は矩形状に形成され、いわゆる肉薄樹脂によって成形されている。したがって、遊技盤５０１の周辺部において樹脂の肉が薄いことが特長になっている。
遊技盤５０１の中央部には遊技領域が形成され、遊技領域には役物装置のための開口部（役物開口部）５１１、大入賞口のための開口部（大入賞口開口部）５１２、入賞口のための開口部（入賞穴）５１３、５１４、アウト球を回収するアウト玉回収口５１５が形成されている。これらの開口部および穴は、何れも遊技盤５０１の成形処理で、遊技盤５０１の成形と同時に形成され、加工の手間を省くことが可能になっている。
【００５５】
遊技盤５０１の周辺部は肉の薄い樹脂によって囲まれるように成形されている。また、遊技盤５０１の上部には賞球ランプのランプを配置するためのランプ開口部５１６が形成されるとともに、遊技盤５０１の下部には上皿（図示略）に賞品球（あるいは貸球）を排出するための賞球排出口５１７が形成されている。
遊技盤５０１の裏面側において、障害釘を設置する所は部分的に樹脂の肉厚が厚くなるように遊技盤５０１自体が成形されている。例えば、符号５２１で示す肉厚部は、いわゆる天入賞口周辺で釘が多数植設される所（釘の密集地帯）であり、肉厚部５２１における樹脂の肉厚を厚くすることにより、障害釘の設置がしやすくなっている。
【００５６】
同様に、釘が植設される所は何れも樹脂の肉厚が厚くなっており、例えば符号５２２で示す肉厚部は、釘の植設数が少ないものの、樹脂の肉厚を厚くすることにより、障害釘の設置がしやすくなっている。なお、他の肉厚部については繁雑になるので、符号付けは省略するが、何れも同様の機能を持たせるために、障害釘を設置する所は部分的に樹脂の肉厚が厚くなっている。
遊技盤５０１の裏面側において、その左右両側にはサイドランプおよび風車を取り付け可能なように樹脂の肉厚が厚い取付基盤部５２５、５２６がそれぞれ形成されている。したがって、第３実施例では取付基盤部５２５、５２６が遊技盤５０１自体と一体成形されている。
また、遊技盤５０１の中央部に形成された遊技領域を取り囲むように、円弧状の開口溝５３０が形成されており、開口溝５３０には３分割可能な内バンド部５３１〜５３３および外バンド部５３４が遊技盤５０１の裏面側から挿入されるようになっている。
【００５７】
内バンド部５３１〜５３３は何れも樹脂製で、断面がＴ字状に成形されている。
（ａ）内バンド部５３１の構成
内バンド部５３１は、開口溝５３０を通して遊技盤５０１の表側に一定長さだけ突出して内バンドを形成するバンド壁５３１ａと、バンド壁５３１ａの底部に位置し、バンド壁５３１ａを支持するバンド固定部５３１ｂとを有している。内バンド部５３１を遊技盤５０１に固定するには、バンド固定部５３１ｂに形成されたビス部５４１（他の３箇所のビス部は繁雑になるので、符号付けを省略）にビスを通して遊技盤５０１に形成された円筒状のボス部５５１に捩じ込めばよく、このとき内バンド部５３１のバンド壁５３１ａが開口溝５３０を通して遊技盤５０１の表側に突出して内バンド（遊技領域区画部材）の一部を構成することになる。
【００５８】
（ｂ）内バンド部５３２の構成
内バンド部５３２は、開口溝５３０を通して遊技盤５０１の表側に一定長さだけ突出して内バンドを形成するバンド壁５３２ａと、バンド壁５３２ａの底部に位置し、バンド壁５３２ａを支持するバンド固定部５３２ｂとを有している。内バンド部５３２を遊技盤５０１に固定するには、バンド固定部５３２ｂに形成されたビス部５４２（他の４箇所のビス部は繁雑になるので、符号付けを省略）にビスを通して遊技盤５０１に形成された円筒状のボス部５５２に捩じ込めばよく、このとき内バンド部５３２のバンド壁５３２ａが開口溝５３０を通して遊技盤５０１の表側に突出して内バンド（遊技領域区画部材）の一部を構成することになる。
また、内バンド部５３２にはファール球を発射位置に導くファール球ガイド部材５３２ｆが形成されており、ファール球ガイド部材５３２ｆは開口溝５３０に連続して形成されたファール球ガイド部材用開口溝５３０ｆを通して遊技盤５０１の表側に突出してファール球を発射位置に導く機能を発揮する。
【００５９】
（ｃ）内バンド部５３３の構成
内バンド部５３３は、開口溝５３０を通して遊技盤５０１の表側に一定長さだけ突出して内バンドを形成するバンド壁５３３ａと、バンド壁５３３ａの底部に位置し、バンド壁５３３ａを支持するバンド固定部５３３ｂとを有している。内バンド部５３３を遊技盤５０１に固定するには、バンド固定部５３３ｂに形成されたビス部５４３（他の３箇所のビス部は繁雑になるので、符号付けを省略）にビスを通して遊技盤５０１に形成された円筒状のボス部５５３に捩じ込めばよく、このとき内バンド部５３３のバンド壁５３３ａが開口溝５３０を通して遊技盤５０１の表側に突出して内バンド（遊技領域区画部材）の一部を構成することになる。
【００６０】
（ｄ）外バンド部５３４の構成
外バンド部５３４は、開口溝５３０を通して遊技盤５０１の表側に一定長さだけ突出して外バンドを形成するバンド壁５３４ａと、バンド壁５３４ａの底部に位置し、バンド壁５３４ａを支持するバンド固定部５３４ｂとを有している。外バンド部５３４を遊技盤５０１に固定するには、バンド固定部５３４ｂに形成されたビス部５４４（他の３箇所のビス部は繁雑になるので、符号付けを省略）にビスを通して遊技盤５０１に形成された円筒状のボス部５５４に捩じ込めばよく、このとき外バンド部５３４のバンド壁５３４ａが開口溝５３０を通して遊技盤５０１の表側に突出して外バンド（打球案内部材）を構成することになる。
【００６１】
このように、第３実施例では遊技盤５０１を肉薄樹脂によって形成する反面、必要な所を部分的に肉厚にしているので、必要な樹脂の量が少なく済む。また、内バンドが内バンド部５３１〜５３３として３分割可能で、各分割部毎に組み立てることができ、組み立て作業がしやすいとともに、内バンド部５３１〜５３３が樹脂製で、断面がＴ字状に成形されているので、強度を向上させることができる。さらに、サイドランプおよび風車を取り付け可能な取付基盤部５２５、５２６が遊技盤５０１自体と一体成形され、取付基盤部５２５、５２６の表側にサイドランプ等の機構体が配置されるので、前記実施例と同様に、取り付け作業性の向上、機構体の組み立て作業工数の減少、強度の向上、装飾性の向上等の各種の効果を得ることができる。
【００６２】
なお、玉貸機の配置場所は上記例に限るものではない。例えば、前面パネルの部分や皿前装飾体の部分に設けるようにしてパチンコ機と一体にしてもよい。
また、本発明はカードリーダを備えていないパチンコ機にも適用できるのは勿論である。
本発明に係わる遊技機は上記実施例のようなプリペイドカード方式のパチンコ機に適用する例に限らない。例えば、クレジット方式のパチンコ機にも適用することができる。
プリペイドカード方式でなく、全くカードを使用しないパチンコ機についても幅広く適用することが可能である。また、アレンジボール機にも適用することができる。
【００６３】
【発明の効果】
本発明によれば、遊技盤は、樹脂製の矩形状に形成され、打球案内部材（外バンド）と遊技領域区画部材（内バンド）とを臨ませるための開口溝を形成し、打球案内部材及び遊技領域区画部材は、バンド壁と該バンド壁の底部に位置するバンド固定部とからなる断面Ｔ字状に樹脂により成形し、遊技盤の裏面側から開口溝にバンド壁を挿入して遊技盤の表側に一定長だけバンド壁を突出させた状態でバンド固定部により遊技盤裏面に固定されるので、以下の効果を得ることができる。
（１）内バンド及び外バンドを樹脂により断面Ｔ字状に一体的に成形しているので、作業性を向上させることができ、これらの組み立て作業工数が減少する。
（２）樹脂製の内バンドを個別に備える場合より、バンド壁とバンド固定部を一体的にすることにより、遊技盤との接触面が多くなり、全体的に強度が向上し、遊技球が強く衝突した場合でも破損することがなくなる。
（３）内バンド及び外バンドを樹脂化することにより装飾性を向上させることができる。特に、従来のように遊技者が注視する遊技領域を金属製の帯状の各バンドによって取り囲んでいた場合と比較して、装飾性が高まる。
【図面の簡単な説明】
【図１】  本発明を適用したカード方式のパチンコ装置の第１実施例の構成を示す斜視図である。
【図２】  同実施例の遊技盤を示す図である。
【図３】  同実施例の遊技盤を構成する矩形板の斜視図である。
【図４】  同実施例のバンド構造体の一部を示す図である。
【図５】  同実施例のバンド構造体の取り付けの変形例を示す図である。
【図６】  同実施例のバンド構造体の取り付け例を示す図である。
【図７】  同実施例のバンド構造体の取り付けの他の例を示す図である。
【図８】  同実施例のバンド構造体の分解斜視図である。
【図９】  同実施例のバンド構造体の裏面図である。
【図１０】  同実施例のバンド構造体の分解斜視図である。
【図１１】  同実施例のバンド構造体の斜視図である。
【図１２】  本発明の第２実施例のバンド構造体を示す図である。
【図１３】  本発明の第３実施例の遊技盤の裏面図である。
【符号の説明】
１  パチンコ装置
２  パチンコ機（遊技機）
３  玉貸機（遊技媒体貸出装置）
１３、５０１  遊技盤
１０１  矩形板
１０２  遊技領域
１１１  外バンド（打球案内部材）
１１２  内バンド（遊技領域区画部材）
１２４  変動入賞装置（アタッカー）
１５１、１５２  ラッキーナンバー表示器
１６１  戻り球防止部材
１６２  風車
２００  取り付け溝
２２１〜２２３  バンド構造体
２３１、２８２、３０２、４０２  遊技盤取付部（取付基盤部）
２９１  配線基盤（配線処理手段）
４００  バンド構造体
５３０  開口溝
５３１〜５３３  内バンド部
５３４  外バンド部
【図１】
0003685266.tif 000002
【図２】
0003685266.tif 000003
【図３】
0003685266.tif 000004
【図４】
0003685266.tif 000005
【図５】
0003685266.tif 000006
【図６】
0003685266.tif 000007
【図７】
0003685266.tif 000008
【図８】
0003685266.tif 000009
【図９】
0003685266.tif 000010
【図１０】
0003685266.tif 000011
【図１１】
0003685266.tif 000012
【図１２】
0003685266.tif 000013
【図１３】
0003685266.tif 000014